(57)【要約】  本願は、駆動コンポーネントと、前記駆動コンポーネントに連結される支持コンポーネントと、前記駆動コンポーネントと前記支持コンポーネントとを連結し且つ互いに噛み合う回動歯車及び歯竿と、を備える折り畳み式支持装置を提供する。ここで、前記駆動コンポーネント及び前記支持コンポーネントはフレキシブル表示スクリーンの非表示エリアに配置される。前記歯竿と前記回動歯車とは互いに噛み合って回動しながら相対的に変位して、前記フレキシブル表示スクリーンを折り畳むか又は展開する。回動歯車及び歯竿を設けることによって、前記フレキシブル表示スクリーンを折り畳むとき、前記回動歯車は歯竿に沿って運動するとともに、前記支持コンポーネントを、前記駆動コンポーネントから離れる方向へ運動するように駆動する。したがって、折り畳まれるフレキシブル表示スクリーンのために十分な収容空間を提供して、フレキシブル表示スクリーンが折り畳まれて表示異常になってしまうことを効果的に防止することができる。
2021513683.tif 000002
【特許請求の範囲】
【請求項１】
駆動コンポーネントと、
前記駆動コンポーネントに連結される支持コンポーネントと、
前記駆動コンポーネントと前記支持コンポーネントとを連結し且つ互いに噛み合う回動歯車及び歯竿と、を備え、
前記駆動コンポーネント及び前記支持コンポーネントはフレキシブル表示スクリーンの非表示エリアに配置され、
前記歯竿と前記回動歯車とは互いに噛み合って回動しながら相対的に変位して、前記フレキシブル表示スクリーンを折り畳むか又は展開する
ことを特徴とする折り畳み式支持装置。
【請求項２】
前記回動歯車は前記駆動コンポーネントと固定的に連結され、前記歯竿は前記支持コンポーネントと固定的に連結され、
前記回動歯車は前記歯竿に沿って回動しながら相対的に変位して、前記回動歯車に固定的に連結された前記駆動コンポーネントと前記歯竿に固定的に連結された前記支持コンポーネントとが相対的に移動するように駆動する
ことを特徴とする請求項１に記載の折り畳み式支持装置。
【請求項３】
前記回動歯車は前記支持コンポーネントと固定的に連結され、前記歯竿は前記駆動コンポーネントと固定的に連結され、
前記回動歯車は前記歯竿に沿って回動しながら相対的に変位して、前記回動歯車に固定的に連結された前記支持コンポーネントと前記歯竿に固定的に連結された前記駆動コンポーネントとが相対的に移動するように駆動する
ことを特徴とする請求項１に記載の折り畳み式支持装置。
【請求項４】
支持コンポーネントは少なくとも１つのハウジング部を備え、
前記少なくとも１つのハウジング部は、前記フレキシブル表示スクリーンの非ベンディングエリアを支持して固定する
ことを特徴とする請求項１に記載の折り畳み式支持装置。
【請求項５】
前記折り畳み式支持装置は、複数の歯竿と、前記複数の歯竿とそれぞれ噛み合う複数の回動歯車と、を備える
ことを特徴とする請求項１に記載の折り畳み式支持装置。
【請求項６】
前記駆動コンポーネントは、回動軸、回動部品及び固定部品を更に備え、
前記回動部品は前記回動軸を介して前記固定部品と可動的に連結される
ことを特徴とする請求項１に記載の折り畳み式支持装置。
【請求項７】
前記回動部品には摺動部品が設置され、
前記少なくとも１つのハウジング部にはスライドレールが設置され、
前記摺動部品は前記スライドレールの中に配置されて前記スライドレールに沿って摺動する
ことを特徴とする請求項６に記載の折り畳み式支持装置。
【請求項８】
前記固定部品にはスライド溝固定部品が設置され、
前記スライド溝固定部品にはスライド溝が設置され、
前記回動部品には端部スライダが設置され、
前記端部スライダは前記スライド溝の中に配置されて前記スライド溝に沿って摺動する
ことを特徴とする請求項６に記載の折り畳み式支持装置。
【請求項９】
前記回動部品には複数の端部スライダが設置され、
前記スライド溝固定部品には、前記端部スライダに対応する複数のスライド溝が設置され、
前記複数の端部スライダはそれぞれ前記複数のスライド溝の中に配置される
ことを特徴とする請求項８に記載の折り畳み式支持装置。
【請求項１０】
前記スライド溝は線形スライド溝であり、
前記スライド溝が位置する直線の方向と、前記フレキシブル表示スクリーンが位置する平面との夾角の角度は０より大きく且つ９０度より小さい
ことを特徴とする請求項８に記載の折り畳み式支持装置。
【請求項１１】
前記回動軸は平行に配置される第１の回動軸及び第２の回動軸を含み、
前記回動部品はそれぞれ前記固定部品の両端に設置される第１の回動部品及び第２の回動部品を含み、
前記第１の回動部品は前記第１の回動軸を介して前記固定部品と可動的に連結され、前記第２の回動部品は前記第２の回動軸を介して前記固定部品と可動的に連結され、
前記第１の回動軸と前記第２の回動軸との間にはウォームギヤ構造が設置され、前記第１の回動軸及び前記第２の回動軸はそれぞれ前記ウォームギヤ構造に連結される
ことを特徴とする請求項６に記載の折り畳み式支持装置。
【請求項１２】
前記回動軸には回動軸ロック部が設置される
ことを特徴とする請求項６に記載の折り畳み式支持装置。
【請求項１３】
前記支持装置は、前記回動歯車と連結される曲げ駆動メカニズムを更に備え、
前記曲げ駆動メカニズムは、前記回動歯車を、前記歯竿に沿って回動しながら相対的に変位するよう、駆動する
ことを特徴とする請求項１に記載の折り畳み式支持装置。
【請求項１４】
前記曲げ駆動メカニズムはモータを含む
ことを特徴とする請求項１３に記載の折り畳み式支持装置。
【請求項１５】
表示機能を実現するフレキシブル表示スクリーンと、
前記フレキシブル表示スクリーンを支持する折り畳み式支持装置と、を備え、
前記折り畳み式支持装置として、請求項１乃至１４のいずれか一項に記載の折り畳み式支持装置を採用する
ことを特徴とする折り畳み式フレキシブル表示装置。
【請求項１６】
前記フレキシブル表示スクリーンは、前記ハウジング部の内部に配置される回路基板を備え、
前記回路基板は、前記フレキシブル表示スクリーンが必要とする駆動回路を提供する
ことを特徴とする請求項１５に記載の折り畳み式フレキシブル表示装置。
【請求項１７】
前記回路基板はフレキシブル回路基板である
ことを特徴とする請求項１６に記載の折り畳み式フレキシブル表示装置。
【請求項１８】
前記フレキシブル表示スクリーンは、前記ハウジング部の内部に配置されるバッテリーを備え、
前記バッテリーは、前記回路基板が必要とする電気エネルギーを提供する
ことを特徴とする請求項１６に記載の折り畳み式フレキシブル表示装置。
【請求項１９】
前記バッテリーはフレキシブルバッテリーである
ことを特徴とする請求項１８に記載の折り畳み式フレキシブル表示装置。
【発明の詳細な説明】
【技術分野】
【０００１】
本願は、２０１８年９月１９日に出願された中国特許出願「Ｎｏ．２０１８１１０９５９３９．５」の優先権を主張し、そのすべての内容を参照より本明細書に組み込む。本願はディスプレイ分野に関し、具体的には折り畳み式支持装置及び折り畳み式フレキシブル表示装置に関する。
【背景技術】
【０００２】
有機発光ダイオード（Ｏｒｇａｎｉｃ  Ｌｉｇｈｔ−Ｅｍｉｔｔｉｎｇ  Ｄｉｏｄｅ，  ＯＬＥＤ）を採用したフレキシブルディスプレイは自発光、エネルギー消費が低く、折り曲げ可能などの特長を有する。このようなディスプレイのフレキシブル特性に基づいて、携帯電話やタブレットパソコンなどの表示端末製品は既にフレキシブルへの布石を打ち始めている。それとともに、折り畳み式ディスプレイの成長速度もますます速くなっている。しかしながら、折り畳み式ディスプレイはその折り畳み構造に制約されて、折り畳み領域において「折り目」が形成しやすく、その結果として表示異常になって正常に表示できなくなる現象がまだ存在している。
【発明の概要】
【発明が解決しようとする課題】
【０００３】
以上に鑑みて、本願の実施例は、従来のフレキシブル折り畳み式ディスプレイが折り畳まれて表示異常になってしまう課題を解決するために、折り畳み式支持装置を提供する。
【課題を解決するための手段】
【０００４】
本願の一態様によると、本願の一実施例により提供される折り畳み式支持装置は、駆動コンポーネントと、前記駆動コンポーネントに連結される支持コンポーネントと、互いに噛み合う回動歯車及び歯竿と、を備える。前記回動歯車及び前記歯竿は、前記駆動コンポーネントと前記支持コンポーネントとを連結する。前記駆動コンポーネント及び前記支持コンポーネントはフレキシブル表示スクリーンの非表示エリアに配置される。前記歯竿と前記回動歯車とは互いに噛み合って回動しながら相対的に変位して、前記フレキシブルディスプレイパネルを折り畳むか又は展開する。
【０００５】
一実施例において、前記回動歯車は前記駆動コンポーネントと固定的に連結され、前記歯竿は前記支持コンポーネントと固定的に連結される。前記回動歯車は、前記歯竿に沿って回動しながら相対的に変位して、前記回動歯車に固定的に連結された前記駆動コンポーネントと前記歯竿に固定的に連結された前記支持コンポーネントとが相対的に移動するように駆動する。
【０００６】
一実施例において、前記回動歯車は前記支持コンポーネントと固定的に連結され、前記歯竿は前記駆動コンポーネントと固定的に連結される。前記回動歯車は、前記歯竿に沿って回動しながら相対的に変位して、前記回動歯車に固定的に連結された前記支持コンポーネントと前記歯竿に固定的に連結された前記駆動コンポーネントとが相対的に移動するように駆動する。
【０００７】
一実施例において、支持コンポーネントは少なくとも１つのハウジング部を備える。前記少なくとも１つのハウジング部は、前記フレキシブル表示スクリーンの非ベンディングエリアを支持して固定する。
【０００８】
一実施例において、前記装置は、複数の歯竿と、前記複数の歯竿とそれぞれ噛み合う複数の回動歯車と、を備える。
【０００９】
一実施例において、前記駆動コンポーネントは回動軸、回動部品及び固定部品を更に備える。前記回動部品は前記回動軸を介して前記固定部品と可動的に連結される。
【００１０】
一実施例において、前記回動部品には摺動部品が設置され、前記少なくとも１つのハウジング部にはスライドレールが設置され、前記摺動部品は前記スライドレールの中に配置されて前記スライドレールに沿って摺動する。
【００１１】
一実施例において、前記固定部品にはスライド溝固定部品が設置され、前記スライド溝固定部品にはスライド溝が設置され、前記回動部品には端部スライダが設置され、前記端部スライダは前記スライド溝の中に配置されて前記スライド溝に沿って摺動する。
【００１２】
一実施例において、前記回動部品には複数の端部スライダが設置され、前記スライド溝固定部品には前記端部スライダに対応する複数のスライド溝が設置され、前記複数の端部スライダはそれぞれ前記複数のスライド溝の中に配置される。
【００１３】
一実施例において、前記スライド溝は線形スライド溝であり、前記スライド溝が位置する直線の方向と、前記フレキシブル表示スクリーンが位置する平面との夾角の角度は０度より大きく且つ９０より小さい。
【００１４】
一実施例において、前記回動軸は平行に設置される第１の回動軸と第２の回動軸とを含む。前記回動部品は、前記固定部品の両端それぞれに設置される第１の回動部品と第２の回動部品とを含む。前記第１の回動部品は前記第１の回動軸を介して前記固定部品に可動的に連結され、前記第２の回動部品は前記第２の回動軸を介して前記固定部品に可動的に連結される。前記第１の回動軸と前記第２の回動軸との間にはウォームギヤ構造が設置され、前記第１の回動軸及び前記第２の回動軸はそれぞれ前記ウォームギヤ構造に連結される。
【００１５】
一実施例において、前記回動軸には回動軸ロック部が設置される。
【００１６】
一実施例において、前記支持装置は、前記回動歯車と連結される曲げ駆動メカニズムを更に備える。前記曲げ駆動メカニズムは、前記回動歯車が前記歯竿に沿って回動しながら相対的に変位するよう、前記回動歯車を駆動する。
【００１７】
一実施例において、前記曲げ駆動メカニズムはモータを含む。
【００１８】
本願の他の一態様によると、本願の一実施例により提供される折り畳み式フレキシブル表示装置は、表示機能を実現するフレキシブル表示スクリーンと、前記フレキシブル表示スクリーンを支持する折り畳み式支持装置と、を備える。なお、前記折り畳み式支持装置としては以上のいずれか一項に記載の折り畳み式支持装置を採用する。
【００１９】
一実施例において、前記フレキシブル表示スクリーンは、前記ハウジング部の内部に設置されて、前記フレキシブル表示スクリーンが必要とする駆動回路を提供する回路基板を備える。
【００２０】
一実施例において、前記回路基板はフレキシブル回路基板である。
【００２１】
一実施例において、前記フレキシブル表示スクリーンは、前記ハウジング部の内部に設置されて前記回路基板が必要とする電気エネルギーを提供するバッテリーを備える。
【００２２】
一実施例において、前記バッテリーはフレキシブルバッテリーである。
【発明の効果】
【００２３】
本願の実施例に係る折り畳み式支持装置は、駆動コンポーネントと、前記駆動コンポーネントに連結される支持コンポーネントと、前記駆動コンポーネント及び前記支持コンポーネントを連結し且つ互いに噛み合う回動歯車及び歯竿と、を備える。前記駆動コンポーネント及び前記支持コンポーネントはフレキシブル表示スクリーンの非表示エリアに配置される。前記歯竿と前記回動歯車とは噛み合って回動しながら相対的に変位して、前記フレキシブル表示スクリーンを折り畳むか又は展開する。折り畳み式フレキシブル表示装置が展開状態から折り畳み状態になる（すなわち、フレキシブル表示スクリーンの曲がり角度が大きくなる）過程において、前記支持コンポーネントと前記駆動コンポーネントとの間の距離は大きくなる。回動歯車及び歯竿を設けることによって、前記フレキシブル表示スクリーンが折り畳まれるとき、前記回動歯車は歯竿に沿って回動しながら相対的に変位する。したがって、前記回動歯車と歯竿とのうちの１つに固定的に連結される前記支持コンポーネントが、前記回動歯車と歯竿とのうちの他の１つに固定的に連結される前記駆動コンポーネントから離れる方向へ移動するようになる。このように、折り畳まれるフレキシブル表示スクリーンのために十分な収容空間を生み出して、フレキシブル表示スクリーンが折り畳まれて表示異常になってしまうことを効果的に防止することができる。
【図面の簡単な説明】
【００２４】
【図１ａ】本願の一実施例に係る折り畳み式支持装置の展開状態における構造模式図である。
【図１ｂ】本願の一実施例に係る折り畳み式支持装置の折り畳み状態における構造模式図である。
【図１ｃ】本願の一実施例に係る回動歯車及び歯竿の構造模式図である。
【図２ａ】本願の他の一実施例に係る折り畳み式支持装置の展開状態における構造模式図である。
【図２ｂ】本願の他の一実施例に係る折り畳み式支持装置の折り畳み状態における構造模式図である。
【図３】本願の一実施例に係る折り畳み式支持装置の構造模式図である。
【図４】本願の一実施例に係る折り畳み式支持装置における可動連結部品の構造模式図である。
【図５】本願の一実施例に係る折り畳み式支持装置のスライド溝固定部品の構造模式図である。
【発明を実施するための形態】
【００２５】
本願の目的、技術案及び長所をより明確にするために、以下、図面を参照しながら本願に対してより詳しく説明する。
【００２６】
図１ａと図１ｂはそれぞれ、本願の一実施例に係る折り畳み式支持装置の展開状態と折り畳み状態における構造模式図である。図１ａ及び図１ｂに示すよう、本願の実施例に係る折り畳み式支持装置は、フレキシブル表示スクリーン１の非表示エリアの一方側に配置される駆動コンポーネント２及び支持コンポーネント４を備える。駆動コンポーネント２は、フレキシブル表示スクリーン１のベンディングエリアに配置されることができ、フレキシブル表示スクリーン１の折り畳み又は展開を実現するために用いられる。支持コンポーネント４はフレキシブル表示スクリーン１の非ベンディングエリアを支持して固定する。当該支持装置は、駆動コンポーネント２と支持コンポーネント４とを連結し且つ互いに噛み合う回動歯車２１及び歯竿３を更に備える。歯竿３と回動歯車２１とのうちの１つは駆動コンポーネント２に固定的に連結され、他の１つは支持コンポーネント４に固定的に連結される。回動歯車２１は歯竿３と噛み合いながら、歯竿３に沿って回動しながら相対的に変位して、フレキシブル表示スクリーン１を折り畳むか又は展開する。
【００２７】
以下、回動歯車２１と駆動コンポーネント２とが固定的に連結され、歯竿３と支持コンポーネント４とが固定的に連結される場合を例として、本実施例を実現する過程を詳しく説明する。図１ｃに示すよう、フレキシブル表示スクリーン１が折り畳まれるとき、回動歯車２１は反時計回り又は時計回りに回転し、回動歯車２１と歯竿３との噛み合い構造によって、歯竿３が、その位置する平面において回動歯車２１に対して（すなわち駆動コンポーネント２に対して）右又は左へ移動するように動かし、したがって歯竿３に固定的に連結された支持コンポーネント４は右又は左へ移動するため、駆動コンポーネント２と支持コンポーネント４とが相対的に変位することが実現される。また、折り畳み式フレキシブル表示装置が展開状態から折り畳み状態になる（すなわちフレキシブル表示スクリーンの曲がり角度が大きくなる）過程において、支持コンポーネント４と駆動コンポーネント２との間の距離は遠くなる。フレキシブル表示スクリーン１が折り畳まれるとき、歯竿３は回動歯車２１と噛み合って運動しながら、支持コンポーネント４を駆動コンポーネント２から離れる方向へ運動するように動かすことによって、フレキシブル表示スクリーン１のベンディングエリアのために十分な収容空間を提供することができる。こうすると、直接折り畳むことにより招来される、フレキシブル表示スクリーン１のベンディングエリアが曲げられて強く圧迫されることを防止することができる。さらに、収容空間を作ることによって折り畳み角度を小さくして、曲げに伴う圧迫の強さを更に緩和し、フレキシブル表示スクリーン１が折り畳まれて表示異常になってしまうことを効果的に防止することができる。フレキシブル表示スクリーン１が展開される過程は、その折り畳まれる過程の逆過程である。つまり、フレキシブル表示スクリーン１が展開されるとき、回動歯車２１は回動して歯竿３を動かし、したがって歯竿３に連結された支持コンポーネント４は駆動コンポーネント２に近づく方向へ運動して、フレキシブル表示スクリーン１が展開される。ここでは再び説明しない。
【００２８】
他の一実施例においては、回動歯車２１と支持コンポーネント４とが固定的に連結され、歯竿３と駆動コンポーネント２とが固定的に連結されてもよい。フレキシブル表示スクリーン１が折り畳まれるとき、回動歯車２１は、反時計回り又は時計回りに回転し、歯竿３が位置する平面において歯竿３に対して（すなわち駆動コンポーネント２に対して）左又は右へ移動する。したがって、回動歯車２１に固定的に連結される支持コンポーネント４は左又は右へ移動して、駆動コンポーネント２と支持コンポーネント４とが相対的に変位してフレキシブル表示スクリーン１を折り畳むことを実現する。フレキシブル表示スクリーン１が展開される過程はその折り畳まれる過程の逆過程である。つまり、フレキシブル表示スクリーン１が展開されるとき、回動歯車２１は歯竿３に沿って運動するため、回動歯車２１に連結された支持コンポーネント４は駆動コンポーネント２に近づく方向へ運動して展開動作を実現する。ここでは再び説明しない。
【００２９】
なお、本願の実施例においては、回動歯車２１と駆動コンポーネント２とを固定的に連結して歯竿３と支持コンポーネント４とを固定的に連結することを選択してもよく、回動歯車２１と支持コンポーネント４とを固定的に連結して歯竿３と駆動コンポーネント２とを固定的に連結することを選択してもよく、本願の実施例は回動歯車及び歯竿の設置位置について制限をしない。ただし、折り畳む又は展開する過程において支持コンポーネント４と駆動コンポーネント２とが同時に相対的に運動することを実現するために、本実施例の好ましい案として、回動歯車２１と駆動コンポーネント２とを固定的に連結し、歯竿３と支持コンポーネント４とを固定的に連結する。フレキシブル表示スクリーン１が折り畳まれる又は展開されるとき、回動歯車２１が駆動コンポーネント２により直接駆動されて回動するため、支持コンポーネント４と駆動コンポーネント２とが同時に相対的に変位することが実現される。
【００３０】
一実施例において、当該支持装置は、フレキシブル表示スクリーン１の折り畳み動作又は展開動作を駆動する曲げ駆動メカニズムを更に備えてもよい。更なる実施例において、曲げ駆動メカニズムはモータなどの駆動力を継続的に提供することができる駆動メカニズムを含むことができる。モータの動力出力シャフトは回動歯車２１に連結される。モータが動力を提供し、動力出力シャフトが回動歯車２１を動かし、したがって、回動歯車２１は歯竿３に沿って回動しながら相対的に変位して、支持コンポーネント４と駆動コンポーネント２とが相対的に運動するように駆動して、フレキシブル表示スクリーン１の折り畳み動作又は展開動作を実現する。曲げ駆動メカニズムを設けることによって、フレキシブル表示スクリーンを折り畳む又は展開する効率を向上させるとともに、手動で折り畳み動作又は展開動作を行うための作業量を省くことができる。
【００３１】
図２ａと図２ｂはそれぞれ、本願の一実施例に係る折り畳み式支持装置の展開状態と折り畳み状態の構造模式図である。図２ａ及び図２ｂに示すよう、フレキシブル表示スクリーン１は第１の領域１１と、第２の領域１２と、第１の領域１１と第２の領域１２との間に位置するベンディングエリア１３と、を含むことができる。フレキシブル表示スクリーン１が折り畳まれるとき、回動歯車２１は歯竿３に沿って回動しながら相対的に変位して、フレキシブル表示スクリーン１の第１の領域１１又は第２の領域１２が折り曲がり動作を行うように動かすとともに、支持コンポーネント４が駆動コンポーネント２から離れる方向へ移動する。回動歯車２１及び歯竿３を設けることによって、フレキシブル表示スクリーン１が折り畳まれるとき、回動歯車２１は歯竿３に沿って回動しながら相対的に変位して、支持コンポーネント４が駆動コンポーネント２から離れる方向へ運動するように駆動し、折り畳まれるフレキシブル表示スクリーン１のために十分な収容空間を生み出して、フレキシブル表示スクリーン１が折り畳まれて表示異常になってしまうことを効果的に防止することができる。
【００３２】
なお、本実施例におけるフレキシブル表示スクリーン１は、一体型の構造であってもよく、より明確に説明するためにフレキシブル表示スクリーン１を第１の領域１１、第２の領域１２及びベンディングエリア１３の３つの部分に分ける。また、フレキシブル表示スクリーン１は互いに独立する第１の領域１１、第２の領域１２及びベンディングエリア１３の３つの部分から構成されてもよい。本実施例はフレキシブル表示スクリーンの具体的な構造について制限しない。
【００３３】
一実施例において、当該支持コンポーネント４は少なくとも１つのハウジング部を備えてもよい。少なくとも１つのハウジング部は、フレキシブル表示スクリーン１の非ベンディングエリアを支持して固定する。好ましく、本実施例におけるハウジング部は第１のハウジング４１と第２のハウジング４２とを含んでもよい。第１のハウジング４１と第２のハウジング４２はそれぞれ、上述の実施例によるフレキシブル表示スクリーン１の第１の領域１１と第２の領域１２を支持して固定する。フレキシブル表示スクリーン１を折り畳むとき、回動歯車２１は歯竿３に沿って回動しながら相対的に変位して、ハウジング部が駆動コンポーネント２から離れる方向へ移動するように動かして、フレキシブル表示スクリーン１のベンディングエリア１３のために十分な収容空間を提供することによって、フレキシブル表示スクリーン１が折り畳まれて表示異常になってしまうことを防止する。
【００３４】
一実施例において、当該支持装置は、複数の歯竿３と、複数の歯竿３とそれぞれ噛み合う複数の回動歯車２１と、を備えてもよい。フレキシブル表示スクリーン１を折り畳むとき、回動歯車２１は歯竿３に沿って回動しながら相対的に変位して、ハウジング部を駆動コンポーネント２から離れる方向へ移動するように動かして、フレキシブル表示スクリーン１のベンディングエリア１３のために十分な収容空間を提供することによって、フレキシブル表示スクリーン１が折り畳まれて表示異常になってしまうことを防止する。
【００３５】
なお、本願の実施例による歯竿及び回動歯車の数は、実際の応用シーンに応じて決められてもよい。歯竿及び回動歯車の数は、フレキシブル表示スクリーンの折り畳みを実現することができればよく、本願の実施例は歯竿及び回動歯車の数について制限しない。
【００３６】
なお、本願の実施例において、各ハウジング部に固定的に連結される歯竿又は回動歯車の数は実際の応用シーンに応じて決められることができる。１つのハウジング部が１つの歯竿又は回動歯車のみに固定的に連結されてもよく、１つのハウジング部が複数の歯竿又は回動歯車に固定的に連結されてもよい。１つのハウジング部に固定的に連結される歯竿又は回動歯車の数は、フレキシブル表示スクリーンの折り畳み操作を実現することができればよく、本願の実施例は１つのハウジング部に固定的に連結される歯竿又は回動歯車の数について制限しない。
【００３７】
一実施例において、本実施例は第１のハウジング４１の一方側のみに歯竿３を設置してもよい。フレキシブル表示スクリーン１を折り畳む又は展開するとき、回動歯車２１が歯竿３に沿って回動することによって、第１のハウジング４１を駆動コンポーネント２から離れる又は駆動コンポーネント２に近づく方向へ運動するように駆動する。又は、第２のハウジング４２の一方側のみに歯竿３を設置してもよい。フレキシブル表示スクリーン１を折り畳む又は展開するとき、回動歯車２１が歯竿３に沿って回動することによって、第２のハウジング４２を駆動コンポーネント２から離れる又は駆動コンポーネント２に近づく方向へ運動するように駆動する。又は、第１のハウジング４１の一方側及び第２のハウジング４２の一方側に同時に歯竿３を設置してもよい。フレキシブル表示スクリーン１を折り畳む又は展開するとき、回動歯車２１が歯竿３に沿って回動することによって、第１のハウジング４１と第２のハウジング４２を、相対的に離れる又は近づく方向へ運動するように駆動する。
【００３８】
図３は本願の一実施例に係る折り畳み式支持装置の構造模式図である。本実施例の構造部品の位置関係及び連結関係をより明確に示すために、図３においては製品の分解組立図を示す。図３に示すよう、駆動コンポーネント２は回動軸２２、回動部品２３及び固定部品２４を備えることができる。回動部品２３は回動軸２２を介して固定部品２４と可動的に連結される。固定部品２４はフレキシブル表示スクリーン１の非ベンディングエリアを支持し、回動部品２３はフレキシブル表示スクリーン１のベンディングエリアを支持して固定する。回動歯車２１は回動軸２２に設置されることができる。回動部品２３は、回動軸２２を介して固定部品２４の周りを回動するとき、フレキシブル表示スクリーン１を折り畳み動作又は展開動作を行うように駆動して、フレキシブル表示スクリーン１を折り畳む又は展開することを実現するとともに、回動歯車２１を歯竿３に沿って回動しながら相対的に変位するように駆動することによって、支持コンポーネント４が駆動コンポーネント２から離れる又は駆動コンポーネント２に近づく方向へ移動することを実現して、フレキシブル表示スクリーン１のベンディングエリア１３のために十分な収容空間を提供して、フレキシブル表示スクリーン１が折り畳まれて表示異常になってしまうことを防止する。
【００３９】
一実施例において、回動軸２２は平行に配置される第１の回動軸２２１と第２の回動軸２２２とを含む。回動部品２３は固定部品２４の両端に設置される第１の回動部品２３１と第２の回動部品２３２とを含む。第１の回動部品２３１は第１の回動軸２２１を介して固定部品２４と可動的に連結され、第２の回動部品２３２は第２の回動軸２２２を介して固定部品２４と可動的に連結される。第１の回動部品２３１と第１のハウジング４１とが可動的に連結され、第１の回動部品２３１と第１のハウジング４１とは、第１のハウジング４１における歯竿３の方向に沿って相対的に運動して、第１のハウジング４１と回動部品２３とが相対的に移動することを実現することができる。第２の回動部品２３２と第２のハウジング４２とが可動的に連結され、第２の回動部品２３２と第２のハウジング４２とは、第２のハウジング４２における歯竿３の方向に沿って相対的に運動して、第２のハウジング４２と回動部品２３とが相対的に移動することを実現することができる。フレキシブル表示スクリーン１を折り畳むとき、第１の回動部品２３１は第１の回動軸２２１を介して固定部品２４の周りを回動し、第１のハウジング４１は第１の回動部品２３１に連動して、回動しながら回動部品２３から離れる方向へ移動する。第２の回動部品２３２は第２の回動軸２２２を介して固定部品２４の周りを回動し、第２のハウジング４２は第２の回動部品２３２に連動して、回動しながら回動部品２３から離れる方向へ移動する。したがって、第１のハウジング４１と第１の領域１１、及び、第２のハウジング４２と第２の領域１２は、密接するように収納される。なお、フレキシブル表示スクリーンを展開する過程は、折り畳む過程の逆過程であるため、ここでは再び説明しない。さらに、第１の回動軸２２１及び第２の回動軸２２２を含んだダブル軸構造を設けることによって、第１のハウジング４１及び第２のハウジング４２が単独に回動することを実現して、フレキシブル表示スクリーン１の折り畳み動作又は展開動作の効率及び柔軟性を向上させることができる。
【００４０】
更なる実施例において、第１の回動軸２２１と第２の回動軸２２２との間においてはウォームギヤ構造が設置されることができ、第１の回動軸２２１及び第２の回動軸２２２はそれぞれウォームギヤ構造に連結される。第１の回動軸２２１と第２の回動軸２２２との間においてウォームギヤ構造を設置することによって、第１の回動軸２２１と第２の回動軸２２２とがウォームギヤ構造を介して互いに連動するようになり、したがって第１の回動軸２２１と第２の回動軸２２２とが同期回動して、折り畳み動作又は展開動作の効率がより一層向上する。
【００４１】
なお、本願の実施例は実際の応用シーンに応じて、歯車、歯竿構造などの他の伝動構造を採用して第１の回動軸と第２の回動軸との回動伝動を実現してもよい。本願の実施例において、第１の回動軸と第２の回動軸とを連結する伝動構造はウォームギヤ構造を含むがそれに限られない。
【００４２】
図４は本願の一実施例に係る折り畳み式支持装置における可動連結部品の構造模式図である。図３及び図４に示すよう、回動部品２３には摺動部品２３３が設置されてもよく、ハウジング部にはスライドレールが設置されてもよく、摺動部品２３３はスライドレールの中に配置され且つスライドレールに沿って摺動する。好ましく、回動部品２３は第１の回動部品２３１及び第２の回動部品２３２を含み、ハウジング部は第１のハウジング４１及び第２のハウジング４２を含む。第１の回動部品２３１には第１の摺動部品が設置されてもよく、第１のハウジング４１には第１のスライドレールが設置されてもよく、第１の摺動部品は第１のスライドレールの中に配置され且つ第１のスライドレールに沿って摺動する。及び／又は、第２の回動部品２３２には第２の摺動部品が設置されてもよく、第２のハウジング４２には第２のスライドレールが設置されてもよく、第２の摺動部品は第２のスライドレールの中に配置され且つ第２のスライドレールに沿って摺動する。
【００４３】
本実施例によると、回動部品２３の両側において摺動部品を設置するとともに、ハウジング部の両側の対応する位置においてスライドレールを設置することによって、回動部品２３とハウジング部とが相対的に運動するとき、摺動部品２３３はスライドレールの中を摺動するようになる。こうすると、外縁における位置制限を実現して、回動部品２３とハウジング部とが相対的に運動することを確保することができる。
【００４４】
なお、本願の実施例においては、第１のハウジング４１のみにスライドレールを設置するとともに第１の回動部品２３１に第１の摺動部品を設置してもよく、第２のハウジング４２のみにスライドレールを設置するとともに第２の回動部品２３２に第２の摺動部品を設置してもよく、又は、第１のハウジング４１と第２のハウジング４２との両方にスライドレールを設置するとともに、第１の回動部品２３１及び第２の回動部品２３２に第１の摺動部品及び第２の摺動部品を設置してもよい。本願の実施例は摺動部品及びスライドレールの設置方式について制限しない。
【００４５】
図５は本願の一実施例に係る折り畳み式支持装置におけるスライド溝固定部品の構造模式図である。図５に示すよう、固定部品２４にはスライド溝固定部品２４１（図３に示す）が設置されることができる。スライド溝固定部品２４１にはスライド溝２４１０が設置され、回動部品２３には端部スライダ２３４（図４に示す）が設置され、端部スライダ２３４はスライド溝２４１０の中に配置されてスライド溝２４１０に沿って摺動する。本実施例においては、固定部品にスライド溝固定部品を設置するとともに回動部品の端部に端部スライダを設置することによって、回動部品が固定部品の周りを回動するとき、端部スライダがスライド溝固定部品のスライド溝の中において摺動するよう、端部の位置制限を実現することができる。
【００４６】
一実施例においては、固定部品２４に第１のスライド溝固定部品が設置され、第１のスライド溝固定部品に第１のスライド溝が設置され、第１の回動部品２３１の端部に第１の端部スライダが設置され、第１の端部スライダが第１のスライド溝の中に配置されて第１のスライド溝に沿って摺動する。及び／又は、固定部品２４に第２のスライド溝固定部品が設置され、第２のスライド溝固定部品に第２のスライド溝が設置され、第２の回動部品２３２の端部に第２の端部スライダが設置され、第２の端部スライダが第２のスライド溝の中に配置されて第２のスライド溝に沿って摺動する。本実施例においては、固定部品にスライド溝固定部品を設置するとともに第１の回動部品及び／又は第２の回動部品の端部に端部スライダを設置することによって、第１の回動部品及び／又は第２の回動部品が固定部品の周りを回動するとき、端部スライダがスライド溝固定部品のスライド溝の中において摺動するよう、端部の位置制限を実現することができる。
【００４７】
なお、本願の実施例においては、固定部品２４のみに第１のスライド溝固定部品を設置するとともに第１の回動部品２３１に第１の端部スライダを設置してもよく、固定部品２４のみに第２のスライド溝固定部品を設置するとともに第２の回動部品２３２に第２の端部スライダを設置してもよく、又は、固定部品２４に第１のスライド溝固定部品及び第２のスライド溝固定部品を設置するとともに、第１の回動部品２３１及び第２の回動部品２３２に第１の端部スライダ及び第２の端部スライダを設置してもよい。本願の実施例はスライド溝固定部品及び端部スライダの配置方式について制限しない。
【００４８】
一実施例において、回動部品２３には複数の端部スライダ２３４が設置されることができる。図４に示すよう、スライド溝固定部品２４１には端部スライダ２３４に対応する複数のスライド溝２４１０（図５に示す）が設置され、複数の端部スライダ２３４はそれぞれ複数のスライド溝２４１０の中に配置される。好ましくは、第１の回動部品２３１に複数の第１の端部スライダを設置し、第１のスライド溝固定部品に複数の第１のスライド溝を設置し、複数の第１の端部スライダをそれぞれ複数の第１のスライド溝の中に配置することができる。及び／又は、第２の回動部品２３２に複数の第２の端部スライダを設置し、第２のスライド溝固定部品に複数の第２のスライド溝を設置し、複数の第２の端部スライダをそれぞれ複数の第２のスライド溝の中に配置することができる。複数の端部スライダ及び複数のスライド溝を並行配置することによって、１つの端部スライダと１つのスライド溝の位置ずれを防止して、位置制限の正確度を向上させることができる。
【００４９】
なお、本願の実施例においては、第１の回動部品２３１のみに複数の第１の端部スライダを設置するとともに第１のスライド溝固定部品に複数の第１のスライド溝を設置してもよく、第２の回動部品２３２のみに複数の第２の端部スライダを設置するとともに第２のスライド溝固定部品に複数の第２のスライド溝を設置してもよく、又は、第１の回動部品２３１及び第２の回動部品２３２にそれぞれ複数の第１の端部スライダ及び複数の第２の端部スライダを設置するとともに、第１のスライド溝固定部品及び第２のスライド溝固定部品にそれぞれ複数の第１のスライド溝及び複数の第２のスライド溝を設置してもよい。本願の実施例はスライド溝固定部品及び端部スライダの配置方式について制限しない。
【００５０】
なお、本願の実施例は実際の応用シーンにおける必要に応じてスライド溝及び端部スライダの数を変更することができる。採用されるスライド溝及び端部スライダの数は、第１の回動部品及び第２の回動部品が固定部品の周りを回動するときに端部スライダがスライド溝の中において摺動し且つ確実に位置制限されることを満足することができればよい。本願の実施例におけるスライド溝及び端部スライダの数は２つであってもよいがそれに限られない。
【００５１】
一実施例において、スライド溝２４１０は線形スライド溝であってもよく、且つスライド溝２４１０が位置する直線の方向とフレキシブル表示スクリーン１が位置する平面との夾角の角度は０より大きく且つ９０度より小さくもよい。線形スライド溝の方向を設定することによって、回動部品が固定部品の周りを回動するときに端部スライダがスライド溝の中において摺動し且つ位置制限されることを確保することができる。
【００５２】
なお、本願の実施例においては、回動部品が固定部品の周りで回動する回転量に基づいて、他の形状を有するスライド溝を採用してもよい。採用されるスライド溝の形状は、回動部品が固定部品の周りを回動するときに端部スライダがスライド溝の中において摺動し且つ位置制限されることを実現できればよく、本願の実施例におけるスライド溝の形状は線形を含むがそれに限られない。
【００５３】
一実施例において、回動軸２２には回動軸ロック部２２０が設置されることができる。回動軸２２の端部に回動軸ロック部２２０を設置することによって、フレキシブル表示スクリーン支持装置がある１つの状態を維持する必要があるとき、回動軸ロック部２２０によって回動軸２２をロックして必要な状態に維持させることができる。なお、本願の実施例において、維持する必要のある状態は折り畳み状態、展開状態、又は折り畳み状態から展開状態になる途中の任意の状態であってもよく、本願の実施例は当該状態について制限しない。
【００５４】
本願の一実施例は折り畳み式フレキシブル表示装置を更に提供する。折り畳み式フレキシブル表示装置は、表示機能を実現するフレキシブル表示スクリーンと、前記フレキシブル表示スクリーンを支持する折り畳み式支持装置と、を備える。前記折り畳み式支持装置としては、上述のいずれかの実施例に記載の折り畳み式支持装置を採用する。回動歯車及び歯竿を設けることによって、前記フレキシブル表示スクリーンを折り畳むとき、前記回動歯車は歯竿に沿って運動して、前記支持コンポーネントが前記駆動コンポーネントから離れる方向へ運動するように駆動する。こうすると、折り畳み式フレキシブル表示装置が展開状態から折り畳み状態になる（すなわちフレキシブル表示スクリーンの曲がり角度が大きくなる）過程において、折り畳まれるフレキシブル表示スクリーンのために十分な収容空間を提供することができ、したがってフレキシブル表示スクリーンが折り畳まれて表示異常になってしまうことを効果的に防止することができる。
【００５５】
一実施例において、本願に係る実施例におけるフレキシブル表示スクリーンは回路基板を備えることができ、回路基板はハウジング部の内部に配置される。回路基板はフレキシブル表示スクリーンが必要とする駆動回路を提供する。なお、本願の実施例は実際の応用シーンにおける必要（例えば、ハウジング部の内部容量の大きさなど）に応じて回路基板を他の位置に配置してもよく、本願は回路基板の配置位置について制限しない。
【００５６】
更なる実施例において、回路基板はフレキシブル回路基板であってもよい。フレキシブル回路基板が可撓性を有するため、本実施例における回路基板は駆動コンポーネントの位置に配置されることができる。
【００５７】
一実施例において、本願に係る実施例におけるフレキシブル表示スクリーンはバッテリーを備えることができ、バッテリーはハウジング部の内部に配置される。バッテリーは回路基板が必要とする電気エネルギーを提供する。なお、本願の実施例は実際の応用シーンにおける必要（例えば、ハウジング部の内部容量の大きさなど）に応じてバッテリーを他の位置に配置してもよく、本願はバッテリーの配置位置について制限しない。
【００５８】
更なる実施例において、バッテリーはフレキシブルバッテリーであってもよい。フレキシブルバッテリーが可撓性を有するため、本実施例におけるバッテリーは駆動コンポーネントの位置に配置されることができる。
【００５９】
以上は、本願の好ましい実施例に過ぎず、本願に対する限定にはならない。本願の思想及び原則の範囲内において行われる変更や同等置換などは、すべて本願の保護範囲に属するべきである。
【図１ａ】
2021513683.tif 000003
【図１ｂ】
2021513683.tif 000004
【図１ｃ】
2021513683.tif 000005
【図２ａ】
2021513683.tif 000006
【図２ｂ】
2021513683.tif 000007
【図３】
2021513683.tif 000008
【図４】
2021513683.tif 000009
【図５】
2021513683.tif 000010
【手続補正書】
【提出日】令和2年8月12日(2020.8.12)
【手続補正１】
【補正対象書類名】明細書
【補正対象項目名】０００４
【補正方法】変更
【補正の内容】
【０００４】
本願の一態様によると、本願の一実施例により提供される折り畳み式支持装置は、フレキシブル表示スクリーンを支持する折り畳み式支持装置であって、駆動コンポーネントと、前記駆動コンポーネントに連結される支持コンポーネントと、互いに噛み合う回動歯車及び歯竿と、を備える。前記回動歯車及び前記歯竿は、前記駆動コンポーネントと前記支持コンポーネントとを連結する。前記駆動コンポーネント及び前記支持コンポーネントは前記フレキシブル表示スクリーンの非表示エリアに配置される。前記歯竿と前記回動歯車とは互いに噛み合って回動しながら相対的に変位して、前記フレキシブルディスプレイパネルを折り畳むか又は展開する。
【手続補正２】
【補正対象書類名】明細書
【補正対象項目名】０００７
【補正方法】変更
【補正の内容】
【０００７】
一実施例において、前記支持コンポーネントは少なくとも１つのハウジング部を備える。前記少なくとも１つのハウジング部は、前記フレキシブル表示スクリーンの非ベンディングエリアを支持して固定する。
【手続補正３】
【補正対象書類名】明細書
【補正対象項目名】０００８
【補正方法】変更
【補正の内容】
【０００８】
一実施例において、前記折り畳み式支持装置は、複数の歯竿と、前記複数の歯竿とそれぞれ噛み合う複数の回動歯車と、を備える。
【手続補正４】
【補正対象書類名】明細書
【補正対象項目名】００１６
【補正方法】変更
【補正の内容】
【００１６】
一実施例において、前記折り畳み式支持装置は、前記回動歯車と連結される曲げ駆動メカニズムを更に備える。前記曲げ駆動メカニズムは、前記回動歯車が前記歯竿に沿って回動しながら相対的に変位するよう、前記回動歯車を駆動する。
【手続補正５】
【補正対象書類名】明細書
【補正対象項目名】００１９
【補正方法】変更
【補正の内容】
【００１９】
一実施例において、前記フレキシブル表示スクリーンは、ハウジング部の内部に設置されて、前記フレキシブル表示スクリーンが必要とする駆動回路を提供する回路基板を備える。
【手続補正６】
【補正対象書類名】特許請求の範囲
【補正対象項目名】全文
【補正方法】変更
【補正の内容】
【特許請求の範囲】
【請求項１】
フレキシブル表示スクリーンを支持する折り畳み式支持装置であって、
駆動コンポーネントと、
前記駆動コンポーネントに連結される支持コンポーネントと、
前記駆動コンポーネントと前記支持コンポーネントとを連結し且つ互いに噛み合う回動歯車及び歯竿と、を備え、
前記駆動コンポーネント及び前記支持コンポーネントは前記フレキシブル表示スクリーンの非表示エリアに配置され、
前記歯竿と前記回動歯車とは互いに噛み合って回動しながら相対的に変位して、前記フレキシブル表示スクリーンを折り畳むか又は展開する
ことを特徴とする折り畳み式支持装置。
【請求項２】
前記回動歯車は前記駆動コンポーネントと固定的に連結され、前記歯竿は前記支持コンポーネントと固定的に連結され、
前記回動歯車は前記歯竿に沿って回動しながら相対的に変位して、前記回動歯車に固定的に連結された前記駆動コンポーネントと前記歯竿に固定的に連結された前記支持コンポーネントとが相対的に移動するように駆動する
ことを特徴とする請求項１に記載の折り畳み式支持装置。
【請求項３】
前記回動歯車は前記支持コンポーネントと固定的に連結され、前記歯竿は前記駆動コンポーネントと固定的に連結され、
前記回動歯車は前記歯竿に沿って回動しながら相対的に変位して、前記回動歯車に固定的に連結された前記支持コンポーネントと前記歯竿に固定的に連結された前記駆動コンポーネントとが相対的に移動するように駆動する
ことを特徴とする請求項１に記載の折り畳み式支持装置。
【請求項４】
前記支持コンポーネントは少なくとも１つのハウジング部を備え、
前記少なくとも１つのハウジング部は、前記フレキシブル表示スクリーンの非ベンディングエリアを支持して固定する
ことを特徴とする請求項１乃至３のいずれか一項に記載の折り畳み式支持装置。
【請求項５】
前記折り畳み式支持装置は、複数の歯竿と、前記複数の歯竿とそれぞれ噛み合う複数の回動歯車と、を備える
ことを特徴とする請求項１乃至４のいずれか一項に記載の折り畳み式支持装置。
【請求項６】
前記駆動コンポーネントは、回動軸、回動部品及び固定部品を更に備え、
前記回動部品は前記回動軸を介して前記固定部品と可動的に連結される
ことを特徴とする請求項４に記載の折り畳み式支持装置。
【請求項７】
前記回動部品には摺動部品が設置され、
前記少なくとも１つのハウジング部にはスライドレールが設置され、
前記摺動部品は前記スライドレールの中に配置されて前記スライドレールに沿って摺動する
ことを特徴とする請求項６に記載の折り畳み式支持装置。
【請求項８】
前記固定部品にはスライド溝固定部品が設置され、
前記スライド溝固定部品にはスライド溝が設置され、
前記回動部品には端部スライダが設置され、
前記端部スライダは前記スライド溝の中に配置されて前記スライド溝に沿って摺動する
ことを特徴とする請求項６または７に記載の折り畳み式支持装置。
【請求項９】
前記回動軸は平行に配置される第１の回動軸及び第２の回動軸を含み、
前記回動部品はそれぞれ前記固定部品の両端に設置される第１の回動部品及び第２の回動部品を含み、
前記第１の回動部品は前記第１の回動軸を介して前記固定部品と可動的に連結され、前記第２の回動部品は前記第２の回動軸を介して前記固定部品と可動的に連結され、
前記第１の回動軸と前記第２の回動軸との間にはウォームギヤ構造が設置され、前記第１の回動軸及び前記第２の回動軸はそれぞれ前記ウォームギヤ構造に連結される
ことを特徴とする請求項６乃至８のいずれか一項に記載の折り畳み式支持装置。
【請求項１０】
表示機能を実現するフレキシブル表示スクリーンと、
前記フレキシブル表示スクリーンを支持する折り畳み式支持装置と、を備え、
前記折り畳み式支持装置として、請求項１乃至９のいずれか一項に記載の折り畳み式支持装置を採用する
ことを特徴とする折り畳み式フレキシブル表示装置。
【国際調査報告】
2021513683.tif 000011
2021513683.tif 000012
2021513683.tif 000013
2021513683.tif 000014
2021513683.tif 000015